(57)【要約】【課題】複数のエアセルを備えている場合であっても、構成の簡素化が図れるエア分配ユニットを提供する。【解決手段】複数のチャンバー５ａ〜５ｇを備えている。チャンバー毎に吐出口が二つ設けられており、それぞれの吐出口は異なるエアセルに対してエアを吐出可能である。また、チャンバー毎に弁体が設けられており、この弁体は、エアを吐出させる吐出口を切り替えるために位置変化可能として設けられている。動作部２０は、複数のチャンバー５ａ〜５ｇに設けられている弁体３１ａ〜３１ｇをまとめて位置変化させる。【選択図】      図４
2009247481.tif 000002
【特許請求の範囲】
【請求項１】
エアの給気によって動作する複数のエアアクチュエータにエアを分配するマッサージ機用のエア分配ユニットであって、
複数のチャンバーを有している本体ブロックと、前記チャンバー毎に設けられエアを異なる前記エアアクチュエータにそれぞれ向かわせるように吐出する複数の吐出口と、前記チャンバー毎に設けられ前記複数の吐出口のうちエアを吐出させる吐出口を切り替えるために位置変化可能である弁体と、前記複数のチャンバーの前記弁体をまとめて位置変化させる動作部と、を備えていることを特徴とするマッサージ機用のエア分配ユニット。
【請求項２】
前記動作部は、開状態で前記複数のチャンバーにまとめてエアの供給を行なう動作用切替弁を有し、
前記動作用切替弁を通じて前記複数のチャンバーに供給した前記エアの圧力によって、前記弁体をまとめて位置変化させる請求項１に記載のマッサージ機用のエア分配ユニット。
【請求項３】
前記動作用切替弁が開状態で前記複数のチャンバーにまとめて供給する前記エアは、前記エアアクチュエータを動作させるために供給されたエアの少なくとも一部である請求項２に記載のマッサージ機用のエア分配ユニット。
【請求項４】
前記チャンバー毎に接続され、前記吐出口から吐出させるためのエアを当該チャンバーに供給又は供給停止すべく開閉動作する給気用切替弁を更に備えている請求項１〜３のいずれか一項に記載のマッサージ機用のエア分配ユニット。
【請求項５】
前記給気用切替弁が開状態となることで前記チャンバーに供給する前記エアによって、前記動作部により位置変化した前記弁体を、当該位置変化前の位置に復帰させる請求項４のいずれか一項に記載のマッサージ機用のエア分配ユニット。
【請求項６】
前記複数のチャンバーは、一体として前記本体ブロックに形成されている請求項１〜５のいずれか一項に記載のマッサージ機用のエア分配ユニット。
【請求項７】
前記弁体は、位置変化する方向について自由に移動自在となっている状態で前記チャンバー内に設けられている請求項１〜６のいずれか一項に記載のマッサージ機用のエア分配ユニット。
【請求項８】
エアの給気によって動作する複数のエアアクチュエータと、請求項１〜７のいずれか一項に記載のマッサージ機用のエア分配ユニットと、このエア分配ユニットにエアを供給するエア源と、前記動作部の動作を制御する制御部とを備えていることを特徴とするマッサージ機。
【発明の詳細な説明】
【技術分野】
【０００１】
本発明は、マッサージ機用のエア分配ユニット及びマッサージ機に関する。
【背景技術】
【０００２】
背凭れ部や座部等に、膨縮自在な袋状のエアセルが複数設けられた椅子型のマッサージ機が知られている。これらエアセルにエア（空気）が供給されることで当該エアセルは膨張し、使用者の身体を押圧してマッサージを行なうことができる。
このような複数のエアセルを備えた椅子型マッサージ機は、ポンプと、このポンプから供給されたエアを各エアセルへと分配するためのエア分配ユニットとを備えている。エア分配ユニットは複数の電磁弁を有しており、一つのエアセルに対して一つの電磁弁が接続されている（例えば、特許文献１参照）。これにより、ポンプからエア分配ユニットに送られたエアは、開状態となっている電磁弁を通じてエアセルに供給され、当該エアセルは膨張することができる。そして、電磁弁を閉状態とすることで、エアセルは膨張しない。このように、従来では、一つのエアセルに対してエアの供給と供給停止を行なうためには、その一つのエアセルに対して一つの電磁弁が必要である。
【０００３】
【特許文献１】特開２００５−８７７６５号公報（図３参照）
【発明の開示】
【発明が解決しようとする課題】
【０００４】
近年、エアセルが動作することによってマッサージを行なうマッサージ機では、使用者の身体のうちマッサージを行なう部位（マッサージ対象部位）が増加している。このために、エアセルの数を増加させる必要がある。
このようにエアセルの数が増加すると、従来のように一つのエアセルに対して一つの電磁弁を必要とする場合、電磁弁等の構成機器が増加することとなり、エア分配ユニットの構成が複雑化する。
そこで、本発明では、エアによって動作するエアアクチュエータ（エアセル）が複数設けられている場合であっても、構成の簡素化が図れるエア分配ユニット及びこれを備えたマッサージ機を提供することを目的とする。
【課題を解決するための手段】
【０００５】
本発明のマッサージ機用のエア分配ユニットは、エアの給気によって動作する複数のエアアクチュエータにエアを分配するマッサージ機用のエア分配ユニットであって、複数のチャンバーを有している本体ブロックと、前記チャンバー毎に設けられエアを異なる前記エアアクチュエータにそれぞれ向かわせるように吐出する複数の吐出口と、前記チャンバー毎に設けられ前記複数の吐出口のうちエアを吐出させる吐出口を切り替えるために位置変化可能である弁体と、前記複数のチャンバーの前記弁体をまとめて位置変化させる動作部とを備えているものである。
本発明によれば、チャンバー毎において弁体が位置変化することでエアを吐出させる吐出口が切り替わり、動作するエアアクチュエータを切り替えることができる。そして、動作部は複数のチャンバーの弁体をまとめて位置変化させることにより、エアを吐出させる吐出口がまとめて切り切り替わり、動作するエアアクチュエータをまとめて切り替えることができる。したがって、弁体を位置変化させる動作部がチャンバー毎に不要となり、マッサージ機用のエア分配ユニットの構成が簡素化される。
【０００６】
また、前記動作部は、開状態で前記複数のチャンバーにまとめてエアの供給を行なう動作用切替弁を有し、前記動作用切替弁を通じて前記複数のチャンバーに供給した前記エアの圧力によって、前記弁体をまとめて位置変化させるように構成するのが好ましい。
これによれば、動作用切替弁が開状態となることで、複数のチャンバーにまとめてエアの供給が行なわれ、このエアの圧力によって、前記弁体はまとめて位置変化する。また、前記のとおり、エアアクチュエータは、チャンバーから吐出口を通じて供給されたエアにより動作する構成であり、かつ、前記動作部についてもエアが利用された構成となる。
【０００７】
また、この場合において、前記動作用切替弁が開状態で前記複数のチャンバーにまとめて供給する前記エアは、前記エアアクチュエータを動作させるためにエア分配ユニットに供給されたエアの少なくとも一部であるのが好ましい。
これによれば、エアアクチュエータを動作させるためにエア分配ユニットに供給されたエアの少なくとも一部を、弁体を位置変化させるための動力に使用することができる。
【０００８】
また、前記マッサージ機用のエア分配ユニットは、前記チャンバー毎に接続され、前記吐出口から吐出させるためのエアを当該チャンバーに供給又は供給停止すべく開閉動作する給気用切替弁を更に備えているのが好ましい。
これによれば、チャンバー毎に接続された給気用切替弁が開閉動作することによって、当該チャンバーに対して、吐出口から吐出させるためのエアの供給又は供給停止が行なわれる。これにより、給気用切替弁が開状態では、エアが供給されたチャンバーからは、当該エアが吐出口を通じて吐出され、当該チャンバーに対応しているエアアクチュエータは動作する。一方、給気用切替弁が閉状態では、当該給気用切替弁と接続されているチャンバーにはエアが供給されず、吐出口からエアが吐出されないため、そのチャンバーに対応しているエアアクチュエータは動作しない。
【０００９】
また、このエア分配ユニットにおいて、前記給気用切替弁が開状態となることで前記チャンバーに供給する前記エアによって、前記動作部により位置変化した前記弁体を、当該位置変化前の位置に復帰させるように構成するのが好ましい。
これによれば、給気用切替弁が開状態となり、吐出口から吐出させるためのエアをチャンバーに供給すると、そのエアの圧力によって弁体を位置変化前の位置へと復帰させる。
【００１０】
また、前記マッサージ機用のエア分配ユニットにおいて、前記複数のチャンバーが、一体として前記本体ブロックに形成されているのが好ましい。
これによれば、複数のチャンバーは一体として本体ブロックに形成されており、エア分配ユニットをコンパクトにすることができる。
【００１１】
また、前記弁体は、位置変化する方向について自由に移動自在となっている状態で前記チャンバー内に設けられているのが好ましい。
【００１２】
また、本発明のマッサージ機は、エアの給気によって動作する複数のエアアクチュエータと、前記マッサージ機用のエア分配ユニットと、このエア分配ユニットにエアを供給するエア源と、前記動作部の動作を制御する制御部とを備えているものである。
本発明のマッサージ機によれば、エア分配ユニットの構成を簡素化することができることから、マッサージ機全体としても構成の簡素化が図れる。
【発明の効果】
【００１３】
本発明に係るマッサージ機用のエア分配ユニットによれば、複数のチャンバーの弁体をまとめて位置変化させることにより、エアを吐出させる吐出口がまとめて切り切り替わり、これにより、動作させるエアアクチュエータをまとめて切り替えることができる。このため、弁体を位置変化させる動作部がチャンバー毎に不要となり、マッサージ機用のエア分配ユニットの構成が簡素化される。
また、本発明に係るマッサージ機によれば、エア分配ユニットの構成を簡素化することができることから、マッサージ機全体としても構成の簡素化が図れる。
【発明を実施するための最良の形態】
【００１４】
以下、本発明の実施の形態を図面に基づいて説明する。
［マッサージ機の全体構成について］
図１は本発明のエア分配ユニット１を備えたマッサージ機の実施の一形態を示す斜視図である。このマッサージ機は、椅子型であり、座部２、背凭れ部３、脚載せ部４及び左右の肘掛け部３５を備えている。座部２、背凭れ部３及び脚載せ部４には、使用者の身体に対してマッサージを施すことのできるマッサージ具が設けられている。
【００１５】
座部２には、マッサージ具として、左右の座部エアセル（エアアクチュエータ）１１ａ，１１ｂが設けられている。これら座部エアセル１１ａ，１１ｂが膨張すると、使用者の臀部乃至大腿部を押圧することができる。
背凭れ部３には、マッサージ具として、施療子３６ａを有しているマッサージユニット３６及び複数のエアアクチュエータが設けられている。図１の実施形態では、前記エアアクチュエータとして、左右の肩用エアセル１２ａ，１２ｂ、左右の背中用エアセル１３ａ，１３ｂ及び左右の腰用エアセル１４ａ，１４ｂを備えている。これらエアセルが膨張することで使用者の肩、背中及び腰を押圧することができる。
【００１６】
前記マッサージユニット３６は、施療子３６ａに揉みや叩き等のマッサージ動作を行なわせる駆動部（図示せず）を有している。駆動部は、モータ、減速器及びモータの動力によって動作するアーム部材等を有している。この駆動部は後述する制御部９（図２参照）によって制御され、この駆動部が動作することで施療子３６ａにマッサージ動作を行なわせることができる。また、マッサージユニット３６は、制御部９の制御によって背凭れ部３内を昇降移動することができ、施療子３６ａによる施療対象部位の変更が可能となっている。
【００１７】
脚載せ部４には、マッサージ具として、左脚用のエアアクチュエータと右脚用のエアアクチュエータとが設けられており、左脚用として、脹脛用エアセル１５ａ、足基部用エアセル１６ａ及び足先部用エアセル１７ａがあり、右脚用として、脹脛用エアセル１５ｂ、足基部用エアセル１６ｂ及び足先部用エアセル１７ｂがある。脹脛用エアセル１５ａ，１５ｂのそれぞれは、膨張することで脹脛を左右両側から挟む対のエアセルからなり、足基部用エアセル１６ａ，１６ｂのそれぞれは、膨張することで足首乃至かかとを左右両側から挟む対のエアセルからなる。足先部用エアセル１７ａ，１７ｂは、膨張することで使用者の足の甲を上から押圧することができる。なお、脚載せ部４において、これらエアセルを覆うカバー部材が設けられているが、図１では、このカバー部材を省略している。
【００１８】
図２はこのマッサージ機の要部の概略構成を示している構成図である。左半身用の前記エアセル１１ａ〜１７ａ及び右半身用の前記エアセル１１ｂ〜１７ｂのそれぞれには、エア配管３７が取り付けられており、これらエア配管３７は、マッサージ機が備えているエア分配ユニット１に接続されている。エア分配ユニット１は、ポンプＰを有するエア源と接続されており、ポンプＰからエア（加圧エア）が供給される。前記エア分配ユニット１は、ポンプＰから供給されたエアを各エアセルへと分配するためのものである。前記エアセルのそれぞれは袋状の部材であり、ポンプＰから供給されたエアによって膨張することができ、かつ、そのエアが排出されると収縮する。
前記エア源（ポンプＰ）は座部２（図１参照）の下に設けられており、エア分配ユニット１は、座部２の下や背凭れ部３の内部に設けられている。
【００１９】
［エア分配ユニット１の構成］
図２において、エア分配ユニット１は複数の電磁弁（以下、給気用切替弁ともいう）６ａ〜６ｇ及び電磁弁（以下、動作用切替弁ともいう）７を有しており、マッサージ機が備えている制御部（マイコン）９がこれら電磁弁６ａ〜６ｇ及び電磁弁７の開閉動作を制御する。電磁弁６ａ〜６ｇが開状態となることによって、後に詳しく説明するが、前記エアセルにエアを供給することができる。このように、制御部９の制御に応じて電磁弁６ａ〜６ｇを開状態とし、所望のエアセルを膨張させることができる。なお、電磁弁７は、膨張させるエアセルを切り替えるために使用されるものであり、後に説明する。
【００２０】
図３はエア分配ユニット１の斜視図である。図４及び図５はエア分配ユニット１の平面図であり、エア分配ユニット１が備えている本体ブロック８を断面（Ａ−Ａ矢視における断面）として示している。
エア分配ユニット１は、複数（７つ）のチャンバー５ａ〜５ｇを有する本体ブロック８と、チャンバー毎に設けられ位置変化可能である弁体（スプール）３１ａ〜３１ｇと、チャンバー毎に二つ設けられている吐出口（図３参照）と、複数のチャンバー５ａ〜５ｇに設けられている複数の弁体３１ａ〜３１ｇをまとめて位置変化させる単一の動作部２０とを備えている。また、一つのチャンバー及びこのチャンバー内に設けられている一つの弁体によって、一つの弁本体部が構成される。
【００２１】
さらに、エア分配ユニット１は、前記チャンバー毎に接続された複数（７つ）の給気用切替弁６ａ〜６ｇを備えている。つまり、エア分配ユニット１は、チャンバー５ａ〜５ｇと同数（７つ）の給気用切替弁６ａ〜６ｇを備えており、チャンバー毎に一つの給気用切替弁が一対一で接続されている。
【００２２】
また、このエア分配ユニット１が有している単一の本体ブロック８に、７つチャンバー５ａ〜５ｇが一体として形成されている。さらに、この単一の本体ブロック８に、複数の給気用切替弁６ａ〜６ｇが一体として取り付けられている。なお、図示しないが、複数のチャンバーが、複数の本体ブロックに分かれて形成されていてもよい。
チャンバー５ａ〜５ｇ及び弁体３１ａ〜３１ｇは全て同じ形態であり、また、給気用切替弁６ａ〜６ｇは全て同じ形態である。そこで、図６と図７とについては、代表として図４の右端に存在しているチャンバー５ａ、弁体３１ａ及び給気用切替弁６ａを説明している。
【００２３】
図４において、本体ブロック８には一条の直線的な主流路１０が形成されている。この主流路１０の端部にエア配管（図示せず）が接続され、このエア配管を介して前記エア源のポンプＰが繋がっており、エア分配ユニット１はこの主流路１０にポンプＰからエアの供給を受ける。なお、図４では、主流路１０の両端部にエア配管の接続ポートが設けられており、どちらの端部にもポンプＰ用のエア配管を接続させることができる。なお、エア配管を接続しない接続ポート（図４では右側の接続ポート）には栓部材４２が取り付けられている。そして、この主流路１０に、前記給気用切替弁６ａ〜６ｇのそれぞれの給気部が繋がっている（図６参照）。
【００２４】
図４において、本体ブロック８には、チャンバー５ａ〜５ｇのそれぞれと繋がっている枝流路１９ａ〜１９ｇが形成されている。そして、チャンバー５ａ〜５ｇのそれぞれは、図６に示しているように、三つの室部２６ａ，２６ｂ，２６ｃと、隣り合うこれら室部同士を繋ぐ部分（小径の空間部）とを有している。
図６と図７に示しているように、前記枝流路１９ａ〜１９ｇのそれぞれは、主流路１０と繋がることができる流路である。つまり、枝流路１９ａ〜１９ｇのそれぞれは、主流路１０から分岐する流路であり、給気用切替弁６ａ（６ａ〜６ｇ）が開状態で、主流路１０内のエアは、枝流路１９ａ（１９ａ〜１９ｇ）を通じてチャンバー５ａ（５ａ〜５ｇ）の第１室部２６ａ又は第２室部２６ｂへと流れることができる。
【００２５】
エア分配ユニット１は、前記チャンバー（第１室部２６ａ又は第２室部２６ｂ）内のエアを吐出させる吐出口を有しており、吐出口はチャンバー毎に二つ設けられている。具体的に説明すると、一つのチャンバー５ａの第１室部２６ａ及び第２室部２６ｂ内のエアを吐出させる吐出口として、第１吐出口２１ａ及び第２吐出口２２ａが設けられており、第１吐出口２１ａは左側の座部エアセル１１ａと繋がっており、第２吐出口２２ａは右側の座部エアセル１１ｂと繋がっている。このように、二つの吐出口２１ａ，２２ａは、それぞれが異なるエアセルに向かってエアを吐出することができる。
また、第１吐出口２１ａと第２吐出口２２ａとは、弁体３１ａの移動方向に並んで設けられている。第１吐出口２１ａはチャンバー５ａの第１室部２６ａと繋がっており、第２吐出口２２ａはチャンバー５ａの第２室部２６ｂと繋がっている。
【００２６】
チャンバー５ａ内の弁体３１ａは、当該チャンバー５ａ内をスライドして移動可能として設けられている。弁体３１ａは、第１位置と第２位置とに位置変化可能となっており、この位置変化によって、第１吐出口２１ａと第２吐出口２２ａとの内、エアを吐出させる吐出口を切り替えることができる。
具体的に説明すると、図６に示しているように、弁体３１ａが第１位置に存在している状態で、主流路１０から開状態にある給気用切替弁６ａを流れたエアは、第１室部２６ａ内に供給され、その後第１吐出口２１ａから吐出され、吐出したエアは図外のエア配管を通して座部エアセル１１ａへと向かい、当該座部エアセル１１ａを膨張させる。
一方、図７に示しているように、弁体３１ａが第２位置に存在している状態で、主流路１０から開状態にある給気用切替弁６ａを流れたエアは、弁体３１ａ内に形成された内部流路３２ａを流れた後に、第２室部２６ｂ内に供給され、その後第２吐出口２２ａから吐出され、吐出したエアは図外のエア配管を通じて座部エアセル１１ｂへと向かい、当該座部エアセル１１ｂを膨張させる。
【００２７】
前記給気用切替弁６ａは三方切替弁であり、本体ブロック８に取り付けられている。この給気用切替弁６ａは電磁弁であり、制御部９からの信号に基づいて開閉動作する。給気用切替弁６ａが開状態で、主流路１０内のエアは枝流路１９ａを通じてチャンバー５ａ（第１室部２６ａ又は第２室部２６ｂ）内へと流れることができる。一方、給気用切替弁６ａが閉状態では、主流路１０内のエアは枝流路１９ａ及びチャンバー５ａの第１室部２６ａ又は第２室部２６ｂ内へと流れることができない。このように、給気用切替弁６ａは、前記吐出口（２１ａ又は２２ａ）から吐出させるためのエアをチャンバー５ａの第１室部２６ａ又は第２室部２６ｂに対して供給又は供給停止すべく開閉動作する。
また、図６の状態において、この給気用切替弁６ａが閉状態にあると、チャンバー５ａの第１室部２６ａ内のエアが、枝流路１９ａを介して当該給気用切替弁６ａ側へと流れ、当該エアを外部に排気することができる。また、図７の状態において、給気用切替弁６ａが閉状態にあると、チャンバー５ａの第２室部２６ｂ内のエアが、枝流路１９ａを介して当該給気用切替弁６ａ側へと流れ、当該エアを外部に排気することができる。
【００２８】
［動作部２０の構成］
図４と図５とにおいて、前記動作部２０は、単一の動作用切替弁７と、この動作用切替弁７が開状態でチャンバー５ａ〜５ｇの全ての第３室部２６ｃに対してエアを供給可能とする動作用流路１８とを有している。
動作用切替弁７は三方切替弁であり、給気用切替弁６ａと同じものを採用することができる。動作用切替弁７は本体ブロック８に一体として取り付けられており、動作用切替弁７の給気部は、給気用切替弁６ａ〜６ｇの場合と同様に、主流路１０と繋がっている。この動作用切替弁７は電磁弁であり、制御部９からの信号によって開閉動作する。
【００２９】
動作用流路１８は、主流路１０と繋がることができる流路である。つまり、動作用流路１８は、主流路１０から分岐する流路である。
動作用切替弁７が開状態で、主流路１０内のエアは動作用流路１８を通じて全てのチャンバー５ａ〜５ｇの第３室部２６ｃへと流れることができる。これにより、開状態にある動作用切替弁７は、全てのチャンバー５ａ〜５ｇの第３室部２６ｃにまとめてエアの供給を行なうことができる。
一方、動作用切替弁７が閉状態では、主流路１０内のエアは動作用流路１８及びチャンバー５ａ〜５ｇの第３室部２６ｃへと流れることができない。このように、動作用切替弁７は、複数のチャンバー５ａ〜５ｇの第３室部２６ｃに対するエアの供給と供給停止とを行なうべく開閉動作する。
また、動作用切替弁７が開状態でチャンバー５ａ〜５ｇの第３室部２６ｃにまとめて供給されるエアは、エアセルを動作させるために主流路１０に供給されたエアの少なくとも一部となっている。
【００３０】
［動作部２０が弁体３１ａを位置変化させる動作について］
図６の状態は、弁体３１ａが第１位置に位置している状態である。給気用切替弁６ａが開状態で、主流路１０内のエアは、枝流路１９ａへと流れ、チャンバー５ａの第１室部２６ａを経て、第１吐出口２１ａから左側の座部エアセル１１ａへと吐出される。これにより左側の座部エアセル１１ａが膨張する。
【００３１】
この状態において、弁体３１ａの内部流路３２ａの吐出側開口端部３２ｂは、チャンバー５ａを形成している壁面によって閉ざされた状態にあり、エアは内部流路３２ａを流れ出ることができない。また、弁体３１ａの第１膨出部４１ａに設けられているシール部４５ａが第１室部２６ａの壁面４６ａと接触し、第１室部２６ａと第２室部２６ｂとの間でエアが漏れることを防止している。
また、この状態では、動作用切替弁７（図４参照）は閉状態にあり、動作用流路１８内にエアは供給されていない。このため、枝流路１９ａ及び第１室部２６ａ内のエアの圧力は、動作用流路１８内のエアの圧力よりも大きくなり、弁体３１ａは第１室部２６ａ内のエアによって動作用流路１８側へと押されている状態となり、弁体３１ａは第１位置に維持される。
【００３２】
図６の状態から、弁体３１ａを第２位置（図７）に位置変化させるために、給気用切替弁６ａを先に閉状態とし（図示せず）、その後、動作用切替弁７を開状態とする。これにより、主流路１０内のエアは、動作用切替弁７を経て動作用流路１８を流れ、枝流路１９ａ内にエアは供給されない。この結果、動作用流路１８内のエアの圧力は、枝流路１９ａ及び第１室部２６ａ内のエアの圧力よりも大きくなり、弁体３１ａは動作用流路１８から供給されたエアによって枝流路１９ａ側へと押され、弁体３１ａは第１位置から第２位置へと移動する。
【００３３】
弁体３１ａが第２位置へ移動すると、弁体３１ａの内部流路３２ａの吐出側開口端部３２ｂは、第２室部２６ｂ内で開放された状態となる。そして、給気用切替弁６ａが開状態となり（図７）、主流路１０内のエアは枝流路１９ａを流れ、枝流路１９ａ内のエアは、弁体３１ａ内の内部流路３２ａを経て、第２室部２６ｂ内へと供給される。そして、第２室部２６ｂ内のエアは、第２吐出口２２ａから右側の座部エアセル１１ｂへと吐出される。これにより右側の座部エアセル１１ｂが膨張する。
【００３４】
なお、この状態で、弁体３１ａの第２膨出部４１ｂに設けられているシール部４５ｂが第２室部２６ｂの壁面４６ｂと接触し、第２室部２６ｂと第１室部２６ａとの間でエアが漏れることを防止している。さらに、弁体３１ａの第３膨出部４１ｃに設けられているシール部４５ｃが第３室部２６ｃの壁面４６ｃと接触し、第２室部２６ｂと第３室部２６ｃとの間でエアが漏れることを防止している。
また、図７の状態では、動作用切替弁７及び給気用切替弁６ａが開状態にあり、動作用流路１８と枝流路１９ａとは同圧であるが、一旦第２位置に移動した弁体３１ａはそのまま第２位置に維持される。
【００３５】
以上より、動作用切替弁７が開状態で、主流路１０内のエアは動作用切替弁７を通じて複数のチャンバー５ａ〜５ｇの第３室部２６ｃ（図６参照）へ流れることができ、この動作用切替弁７を通じてチャンバー５ａ〜５ｇの第３室部２６ｃ（図６参照）へ流れたエアの圧力により、複数の弁体３１ａ〜３１ｇを、一方の第１吐出口よりエアを吐出させる第１位置（図４）から、他方第２吐出口よりエアを吐出させる第２位置（図５）へと（一方向に）まとめて位置変化させることができる。すなわち、左半身用のエアセル１１ａ〜１７ａを膨張させていた状態から、右半身用の前記エアセル１１ｂ〜１７ｂを膨張させている状態へと、動作するエアセルをまとめて切り替えることができる。
【００３６】
そして、弁体３１ａ（３１ａ〜３１ｇ）が第２位置に存在している状態から、前記制御部９による制御によって、動作用切替弁７を閉状態とし、給気用切替弁６ａ（６ａ〜６ｇ）が開状態にあると、枝流路１９ａ及び第１室部２６ａ内のエアの圧力は、動作用流路１８内のエアの圧力よりも大きくなり、弁体３１ａ（３１ａ〜３１ｇ）は第１位置へと戻る。すなわち、開状態にある給気用切替弁６ａからチャンバー５ａ（第１室部２６）に対して供給されたエアの圧力によって、第１位置から第２位置へと位置変化した弁体３１ａを、第２位置から第１位置へと復帰させることができる。
この場合において、膨張動作をさせたいエアセルと繋がっているチャンバーに対応している給気用切替弁のみを開状態とすることによって、当該チャンバーの弁体のみを第１位置へと復帰させることができ、当該チャンバーの第１吐出口と繋がっているエアセルのみを膨張動作させることができる。つまり、この場合において、給気用切替弁を閉状態としているチャンバーの吐出口と繋がっているエアセルでは、膨張動作の切り替えが行なわれない。
【００３７】
弁体３１ａを位置変化させる動作についてまとめて説明すると、制御部９（図２）は、給気用切替弁６ａ〜６ｇを閉状態としチャンバー５ａ〜５ｇの第１室部２６ａへのエアの給気を停止させている状態で、動作用切替弁７を開状態とし動作用流路１８へのエアの給気を行なう第１動作制御と、動作用切替弁７を閉状態とし動作用流路１８へのエアの給気を停止させている状態で、給気用切替弁６ａ〜６ｇの少なくとも一つを開状態としチャンバー５ａ〜５ｇの第１室部２６ａへのエアの給気を行なう第２動作制御とを行なうことができる。第１動作制御により、第１位置にあった弁体３１ａを第２位置へと位置変化させることができ、第２動作制御により、第２位置にあった弁体３１ａを第１位置へと位置変化させることができる。
このように、制御部９が、動作用切替弁７及び給気用切替弁６ａ〜６ｇの開閉動作を制御することによって、チャンバー５ａ〜５ｇにおいて弁体３１ａ〜３１ｇの位置変化を行なうことができ、対となっている吐出口のうちからエアを吐出させる吐出口を選択することができる。これにより、対となっている吐出口にそれぞれ繋がっているエアセルのうちの一方を、膨張動作させることができる。
【００３８】
［具体的なマッサージ動作について（その１）］
図１に示している椅子型マッサージ機の場合について、具体的に説明する。制御部９がエア分配ユニット１を制御することにより、図４に示しているように、チャンバー５ａ〜５ｇ内の弁体３１ａ〜３１ｇを第１位置とする。さらに、給気用切替弁６ｂ，６ｃ，６ｄを開状態とすると（他の給気用切替弁６ａ，６ｅ，６ｆ，６ｇは閉状態）、チャンバー５ｂ，５ｃ，５ｄにおける第１吐出口２１ｂ，２１ｃ，２１ｄ（図３参照）のみからエアが吐出され、左側の肩用エアセル１２ａ、左側の背中用エアセル１３ａ及び左側の腰用エアセル１４ａのみが膨張動作を行なう。
【００３９】
そして、全ての給気用切替弁６ａから６ｇを閉じた状態とし、動作用切替弁７を開くと、全てのチャンバー５ａ〜５ｇ内の全ての弁体３１ａ〜３１ｇは第２位置へ位置変化する（図５参照）。そして、前記給気用切替弁６ｂ，６ｃ，６ｄを開状態とすると（他の給気用切替弁６ａ，６ｅ，６ｆ，６ｇは閉状態）、チャンバー５ｂ，５ｃ，５ｄにおける第２吐出口２２ｂ，２２ｃ，２２ｄ（図３参照）のみからエアが吐出され、右側の肩用エアセル１２ｂ、右側の背中用エアセル１３ｂ及び右側の腰用エアセル１４ｂのみが膨張動作を行なう。
【００４０】
動作用切替弁７を閉じ、再び給気用切替弁６ｂ，６ｃ，６ｄを開状態とすると（他の給気用切替弁６ａ，６ｅ，６ｆ，６ｇは閉状態）、前記チャンバー５ｂ，５ｃ，５ｄ内の弁体３１ｂ，３１ｃ，３１ｄは第１位置へと戻る。これとともに、チャンバー５ｂ，５ｃ，５ｄにおける第１吐出口２１ｂ，２１ｃ，２１ｄからエアが再び吐出され、左側の肩用エアセル１２ａ、左側の背中用エアセル１３ａ及び左側の腰用エアセル１４ａのみが膨張動作を行なう。
このように、制御部９の制御によって、膨張動作させるエアセル（例えば背凭れ部３のエアセル）を選択したり、選択したエアセルの膨張動作を例えば左右で交互に切り替えたりすることができる。この選択は、前記のような背凭れ部３のみに限らず、全てのエアセルから任意のものとすることができ、膨張動作の切り替えは左右に限らず、他の組み合わせとすることができる。
【００４１】
［具体的なマッサージ動作について（その２）］
また、マッサージ機の他の実施形態として、図８に示しているような身体の一部を押すマッサージを行なうマッサージ部５０が設けられたマッサージ機がある。例えば、図１の椅子型のマッサージ機が有している肘掛け部３５に、このマッサージ部５０が腕用として設けられる。そして、マッサージ部５０は、使用者の腕（手）を両側から押すように動作してマッサージを行なう。
【００４２】
このマッサージ部５０は、左右方向一方側（図８の右側）に設けられた第１エアセル５１及び第２エアセル５２と、他方側（図８の左側）に設けられた第３エアセル５３及び第４エアセル５４とを有している。第１エアセル５１と第２エアセル５２との間に移動可能な壁部材５５ａが介在しており、この壁部材５５ａに第２エアセル５２が取り付けられている。したがって、第１エアセル５１が膨張すると、壁部材５５ａ及び第２エアセル５２は、使用者の身体（腕）Ａ側へ移動する。また、他方側の第３エアセル５３、壁部材５５ｂ及び第４エアセル５４についても同様に構成されている。
【００４３】
左右方向一方側の第１エアセル５１は、図３に示したエア分配ユニット１の一つのチャンバー５ａの第１室部２６ａに対応して設けられている第１吐出口２１ａと接続され、第２エアセル５２は、当該一つのチャンバー５ａの第２室部２６ｂに対応して設けられている第２吐出口２２ａと接続されている。そして、左右方向の他方側の第３エアセル５３は、前記エア分配ユニット１の他のチャンバー５ｂの第１室部２６ａに対応して設けられている第１吐出口２１ｂと接続され、第４エアセル５４は、当該他のチャンバー５ｂの第２室部２６ｂに対応して設けられている第２吐出口２２ｂと接続されている。
【００４４】
このように構成されたマッサージ機において、前記制御部９の制御により以下の動作を行なうことができる。
第１の制御として、給気用切替弁６ａが開状態で、弁体３１ａが第１位置（図６の状態）にある。これにより、エアが給気用切替弁６ａから第１吐出口２１ａを通じて流れ、図８の第１エアセル５１が膨張する。そして、前記給気用切替弁６ａを閉状態とする。これにより、膨張していた第１エアセル５１内のエアは、第１吐出口２１ａ及び閉状態である給気用切替弁６ａを通じて外部へ排気され、第１エアセル５１は収縮することができる。
次に、動作用切替弁７を開状態とすることで、弁体３１ａを第２位置（図７の状態）に移動させ、給気用切替弁６ａを開状態とすることによって、エアが給気用切替弁６ａから第２吐出口２２ａを通じて流れ、図８の第２エアセル５２が膨張する。その後、給気用切替弁６ａを閉状態とする。これにより、膨張していた第２エアセル５２内のエアは、第２吐出口２２ａ及び閉状態である給気用切替弁６ａを通じて外部へ排気され、第２エアセル５２は収縮することができる。
【００４５】
次に、給気用切替弁６ａを開状態とすることで、弁体３１ａを第１位置へと移動させ、第１エアセル５１を膨張させることができる。そして、給気用切替弁６ａを閉状態とすると、この第１エアセル５１を収縮させることができる。
以上より、この制御によれば、左右方向で一方側（図８の右側）において、膨張して収縮する動作を、第１エアセル５１と第２エアセルとの順で行なわせることができ、また、左右方向で他方側にある第３エアセル５３と第４エアセル５４についても、前記と同じ動作が行なわれ、使用者の腕に対して左右から挟んで押圧するマッサージが可能となる。
【００４６】
また、第２の制御として、給気用切替弁６ａが開状態で、弁体３１ａが第１位置（図６の状態）にある。これにより、エアが給気用切替弁６ａから第１吐出口２１ａを通じて流れ、図８の第１エアセル５１が膨張する。そして、給気用切替弁６ａを開状態としたまま、動作用切替弁７を開状態とすることで、弁体３１ａを第２位置（図７の状態）へ移動させる。これにより、エアが給気用切替弁６ａから第２吐出口２２ａを通じて流れ、図８の第２エアセル５２が膨張する。さらに、この図７の状態では、第１エアセル５１及び第１室部２６ａ内のエアは流れることができない状態（閉塞状態）となり、膨張状態にある第１エアセル５１は、その状態で保持される。すなわち、第１エアセル５１を膨張状態に保持してさらに第２エアセル５２を膨張させることができる。
次に、給気用切替弁６ａを閉状態とすると、膨張状態にあった第２エアセル５２内のエアは、第２吐出口２２ａ及び閉状態である給気用切替弁６ａを通じて外部へ排気され、第２エアセル５２は収縮する。そして、給気用切替弁６ａを開状態とすることで弁体３１ａを第１位置（図６の状態）とし、直ぐに当該給気用切替弁６ａを閉状態とすることで、膨張していた第１エアセル５１内のエアは、第１吐出口２１ａ及び閉状態である給気用切替弁６ａを通じて外部へ排気され、第１エアセル５１は収縮する。
【００４７】
また、左右方向で他方側（図８の左側）にある第３エアセル５３及び第４エアセル５４についても、前記と同じ動作が同時に行なわれ、これにより、使用者の腕に対して左右から挟んで押圧するマッサージが可能となる。そして、この第２の制御によれば、第１エアセル５１及び第３エアセル５３が膨張した状態で、さらに第２エアセル５２及び第４エアセル５４が膨張動作を行なうことから、腕を強く押すことができる。または、この第２の制御によれば、第１エアセル５１及び第３エアセル５３の膨張によって両側にある壁部材５５ａ，５５ｂの間隔を変更してから（間隔を調整してから）、第２エアセル５２及び第４エアセル５４が膨張動作を行なうことにより、体型（太い又細い）に応じたマッサージが可能となる。つまり、腕の細い使用者に対しても強い押圧力を与えることができる。
【００４８】
また、第３の制御として、給気用切替弁６ａが開状態で、弁体３１ａが第２位置（図７の状態）にある。これにより、エアが給気用切替弁６ａから第２吐出口２２ａを通じて流れ、図８の第２エアセル５２が膨張する。そして、給気用切替弁６ａを開状態とし、動作用切替弁７を閉状態とすることで、弁体３１ａを第１位置（図６の状態）へ移動させる。これにより、エアが給気用切替弁６ａから第１吐出口２１ａを通じて流れ、図８の第１エアセル５１が膨張する。さらに、この図６の状態では、第２エアセル５２及び第２室部２６ｂ内のエアは流れることができない状態（閉塞状態）となり、膨張状態にある第２エアセル５２は、その状態で保持される。すなわち、図８の第２エアセル５２を膨張状態に保持してさらに第１エアセル５１を膨張させることができる。
次に、給気用切替弁６ａを閉状態とすると、膨張状態にあった第１エアセル５１内のエアは、第１吐出口２１ａ及び閉状態である給気用切替弁６ａを通じて外部へ排気され、第１エアセル５１は収縮する。そして、動作用切替弁７を開状態とすることで弁体３１ａを第２位置とし、給気用切替弁６ａを閉状態とすることで、膨張状態にあった第２エアセル５２内のエアは、第２吐出口２２ａ及び閉状態である給気用切替弁６ａを通じて外部へ排気され、第２エアセル５２は収縮する。
【００４９】
また、左右方向で他方側（図８の左側）にある第３エアセル５３及び第４エアセル５４についても、前記と同じ動作が同時に行なわれ、これにより、使用者の腕に対して左右から挟んで押圧するマッサージが可能となる。そして、この場合、第２エアセル５２及び第４エアセル５４が膨張した状態で、第１エアセル５１及び第３エアセル５３が膨張動作を行なうことから、使用者の腕を強く押すことができる。または、腕の細い使用者に対しても強い押圧力を与えることができ、体型に応じたマッサージが可能となる。
以上のように、このエア分配ユニット１を用いて、制御部９が前記第１、第２または第３の制御を選択して行なうことにより、複雑なマッサージ、多様なマッサージを行なうことができる。そして、このようなマッサージが可能でありながら、エア分配ユニット１の構成は簡単なものである。
【００５０】
以上の実施形態によるエア分配ユニット１によれば、チャンバー毎において、弁体が位置変化することでエアを吐出させる吐出口が切り替わり、動作させるエアセルを切り替えることができる。そして、動作部２０は複数のチャンバーの弁体をまとめて位置変化させることにより、エアを吐出させる吐出口がまとめて切り切り替わり、これにより、動作させるエアセルをまとめて切り替えることができる。
【００５１】
したがって、弁体を位置変化させる動作用切替弁７がチャンバー毎に不要となり、つまり、一つのエアセルに対して一つの電磁弁（動作用切替弁）を有している構成とする必要がなくなり、エア分配ユニット１の構成の簡素化が図れる。また、この実施形態では、全ての吐出口の数の半分の数の供給用切替弁６ａ〜６ｇを有していれば良い。
【００５２】
また、このエア分配ユニット１において、ポンプＰから主流路１０にエアが供給されると、この主流路１０内のエアを給気用切替弁６ａ〜６ｇからチャンバー５ａ〜５ｇの第１室部２６ａ又は第２室部２６ｂを経て各エアセルへと流すことができ、かつ、主流路１０内のエアを動作用切替弁７からチャンバー５ａ〜５ｇの第３室部２６ｃへと流し、弁体３１ａ〜３１ｇを位置変化させることができる。
すなわち、動作用切替弁７が開状態でチャンバー５ａ〜５ｇの第３室部２６ｃにまとめて供給するエアは、エアセルを動作させるためにエア分配ユニット１に供給されたエアの少なくとも一部であり、このように一つのエア源によって、エアセルを膨張させる動力と、弁体３１ａ〜３１ｇを位置変更させる動力との両方が得られ、エア分配ユニット１の構成の簡素化が図れる。
【００５３】
また、このエア分配ユニット１によれば、弁体３１ａ（３１ａ〜３１ｇ）は、チャンバー５ａ（５ａ〜５ｇ）内に、位置変化する方向について自由に移動自在として設けられている。すなわち、本発明では、弁体３１ａはバネ等の弾性部材によって第１位置と第２位置との内の一方側に向かって付勢する構成とすることもできるが、この実施形態では、前記のような弾性部材は存在していない。したがって、チャンバー５ａにエアの供給が行なわれていない状態で、弁体３１ａは自由に移動自在となっている。このため、動作用切替弁７又は給気用切替弁６ａを開状態として、弁体３１ａを移動させるための動力（エア圧）は小さくてもよい。すなわち、小さな出力のポンプＰによって、弁体３１ａの位置変化が可能となる。なお、弁体３１ａが前記のような弾性部材（バネ）で一方側に向かって付勢されている場合、ポンプＰは、この弾性部材の付勢力に抗する動力がさらに必要となる。
このように、弁体が自由に移動自在として設けられていることから、ポンプＰの容量を小さくすることができ、この結果、エア分配ユニット１、エアパイプ及びエアセルは、この容量によるエア圧に耐え得る強度を有していれば良く、これら構成機器を小さく（薄肉に）することが可能となる。
【００５４】
さらに、このエア分配ユニット１において、複数のチャンバー５ａ〜５ｇ、給気用切替弁６ａ〜６ｇからチャンバー５ａ〜５ｇまでの枝流路１９ａ〜１９ｇ、及び、動作用切替弁７から複数のチャンバー５ａ〜５ｇまでの動作用流路１８が、単一の本体ブロック８に形成されている。そして、この本体ブロック８に給気用切替弁６ａ〜６ｇ及び動作用切替弁７が接続されている。これにより、チャンバー５ａ〜５ｇ、給気用切替弁６ａ〜６ｇ、動作用切替弁７、これら切替弁６ａ〜６ｇ，７とチャンバー５ａ〜５ｇとの間の流路１７ａ〜１７ｇ，１８を、一体として形成することができ、エア分配ユニット１を全体としてコンパクトにすることができる。また、エア分配ユニット１が一つのユニットとして構成されているため、このエア分配ユニット１を、マッサージ機の所定の位置に取り付ける作業が容易となる。
【００５５】
なお、図示している形態では、本体ブロック８は、動作用流路１８、チャンバー５ａ〜５ｇ及び枝流路１９ａ〜１９ｇが形成されている部分（第１本体部）と、給気用切替弁６ａ〜６ｇ及び動作用切替弁７が取り付けられている部分（第２本体部）とが一体となっているが、これ以外として、図示しないが、本体ブロック８は、前記第１本体部と前記第２本体部とが別体となっており、これらの間が別の流路（エア配管）によって接続されたものであってもよい。
【００５６】
また、図４に示しているように、動作用流路１８の途中には、流路断面が拡大している空室部１８ａが形成されている。この空室部１８ａではエアが溜まることができ、この空室部１８ａは、例えば給気用切替弁６ａ〜６ｇの少なくとも一つが開閉動作した際に生じる動作用流路１８（及び主流路１０）内の圧力変動の影響を抑制することができる。また、動作用流路１８における圧力損失を低減するために、動作用流路１８の断面積は枝流路１９ａ〜１９ｇの断面積よりも大きく設定されているのが好ましい。これにより、流路による圧力損失を低減し、弁体３１ａ〜３１ｇを移動させるためのエアの圧力の低下を抑制することができる。
【００５７】
また、前記マッサージ機は、複数のエアセルを備えているが、当該マッサージ機が備えているマッサージプログラム中において、前記マッサージ動作（その１）のように、これら全てのエアセルを同時に膨張させないマッサージ動作（マッサージステップ）が存在している。これは、このマッサージステップでは、全てのエアセルを同時に膨張させ体全身を同時に押圧すると、使用者の意識が分散されてしまい、効果が弱まってしまうことを防止するためである。
すなわち、既に説明したように、前記マッサージ動作（その１）として、複数のエアセルの内のいくつかのエアセル（エアセル群Ａという）を動作させ、その後、別のエアセル（エアセル群Ｂという）を動作させている。具体的には、図１において、エアセル群Ａは、左側における肩用エアセル１２ａ、背中用エアセル１３ａ及び腰用エアセル１４ａであり、エアセル群Ｂは、右側における肩用エアセル１２ｂ、背中用エアセル１３ｂ及び腰用エアセル１４ｂである。
従来のマッサージ機（エア分配ユニット）では、一つのエアセルに対して少なくとも一つの電磁弁が必要である。このために、多くのエアセルを動作させるためには、電磁弁の数が多くなっている。そして、前記マッサージ動作を得る場合では、機能していない（休止状態にある）電磁弁が発生する。
しかし、本発明によれば、前記マッサージ動作を得るために、エアセル群Ａを膨張させるために機能する給気用切替弁と、別であるエアセル群Ｂを膨張させるために機能する給気用切替弁とが同じとなっている（給気用切替弁６ｂ，６ｃ，６ｄ）。これにより、切替弁の数を従来よりも少なくすることができる。つまり、エアセル群Ａを膨張させる給気用切替弁を切り替えると、別のエアセル群Ｂを膨張させることができ、効率よく切替弁が用いられた構成とすることができる。
【００５８】
また、本発明のエア分配ユニット１及びマッサージ機は、図示する形態に限らず本発明の範囲内において他の形態のものであっても良い。椅子型のマッサージ機において、図示しないが、脚載せ部３が省略されたものであってもよい。また、マッサージ機は椅子型に限らず、脚載せ部３のみからなるものであってもよい。
また、図１に示した椅子型マッサージ機において、肘掛け部３５（図１）に、図示しないがマッサージ具としてエアセルが設けられていてもよい。この肘掛け部３５に設けたエアセルについても、エア配管を介して前記エア分配ユニット１に接続することができる。
【００５９】
また、前記実施形態では、ポンプＰを一つとした場合を説明したが、（図示しないが）ポンプは二つであってもよい。この場合、前記主流路１０は、動作用切替弁７と繋がる第１主流路と、給気用切替弁６ａ〜６ｇと繋がる第２主流路とを有しており、これら第１主流路と第２主流路とは繋がっておらず、独立した流路となっている。そして、第１主流路の接続ポートにエア配管を介して一方のポンプを繋ぎ、第２主流路の接続ポートにエア配管を介して他方のポンプを繋ぐ。これ以外の形態は、図示したものと同じである。このようにポンプＰを二つとした場合では、給気用切替弁６ａ〜６ｇ（図４と図５参照）の開閉による動作用流路１８内の圧力変動が生じることが無く、弁体３１ａ〜３１ｇの位置変化の動作を安定させることができる。また、前記エアアクチュエータをマッサージのためのエアセルとして説明したが、エアアクチュエータは、例えば脚載せ部４を上下回動させるためのエアシリンダであってもよい。
【図面の簡単な説明】
【００６０】
【図１】本発明のエア分配ユニットを備えたマッサージ機の実施の一形態を示す斜視図である。
【図２】このマッサージ機の要部の概略構成を示している構成図である。
【図３】エア分配ユニットの斜視図である。
【図４】弁体が第１位置にある状態でのエア分配ユニットの平面図であり、本体ブロックを断面として示している。
【図５】弁体が第２位置にある状態でのエア分配ユニットの平面図であり、本体ブロックを断面として示している。
【図６】弁体が第１位置にある状態でのエア分配ユニットの断面図である。
【図７】弁体が第２位置にある状態でのエア分配ユニットの断面図である。
【図８】マッサージを行なうマッサージ部の断面図である。
【符号の説明】
【００６１】
１  エア分配ユニット
５ａ〜５ｇ  チャンバー
６ａ〜６ｇ  給気用切替弁
７  動作用切替弁
８  本体ブロック
９  制御部
１０  主流路
１１ａ，１１ｂ  座部エアセル（エアアクチュエータ）
１２ａ，１２ｂ  肩用エアセル（エアアクチュエータ）
１３ａ，１３ｂ  背中用エアセル（エアアクチュエータ）
１４ａ，１４ｂ  腰用エアセル（エアアクチュエータ）
１５ａ，１５ｂ  脹脛用エアセル（エアアクチュエータ）
１６ａ，１６ｂ  足基部用エアセル（エアアクチュエータ）
１７ａ，１７ｂ  足先部用エアセル（エアアクチュエータ）
１８  動作用流路
１９ａ〜１９ｇ  枝流路
２０  動作部
２１ａ〜２１ｇ  第１吐出口
２２ａ〜２２ｇ  第２吐出口
３１ａ〜３１ｇ  弁体
Ｐ  ポンプ
【図１】
2009247481.tif 000003
【図２】
2009247481.tif 000004
【図３】
2009247481.tif 000005
【図４】
2009247481.tif 000006
【図５】
2009247481.tif 000007
【図６】
2009247481.tif 000008
【図７】
2009247481.tif 000009
【図８】
2009247481.tif 000010